(57)【要約】【課題】  簡素化された構成で、光学素子の挿脱を円滑に行うことのできる光学素子の挿脱装置を提供する。【解決手段】  支持軸３０を中心に回動する枠体２８に保持されると共に、撮影光路外の退避位置及び撮影光路中の使用位置で回動自在に設けられる光学素子２６と、前記光学素子２６及び前記枠体２８を回動させる操作を行う操作手段２２と、前記枠体２８を回動方向に付勢すると共に、前記枠体２８の回動位置に応じて付勢方向が反転するように構成される板バネ部材４０と、前記板バネ部材４０を固定する固定部材２４と、を備えた光学素子の挿脱装置を提供することにより、前記課題を解決する。【選択図】  図３
2005352395.tif 000002
【特許請求の範囲】
【請求項１】
支持軸を中心に回動する枠体に保持されると共に、撮影光路外の退避位置及び撮影光路中の使用位置で回動自在に設けられる光学素子と、
前記光学素子及び前記枠体を回動させる操作を行う操作手段と、
前記枠体を回動方向に付勢すると共に、前記枠体の回動位置に応じて付勢方向が反転するように構成される板バネ部材と、
前記板バネ部材を固定する固定部材と、を備えたことを特徴とする光学素子の挿脱装置。
【請求項２】
前記板バネ部材は、略Ｖ字状に湾曲して構成されると共に、
前記板バネ部材の一端は、前記枠体の少なくとも１つの端部を支持し、
前記板バネ部材の他端は、前記固定部材に固定されることを特徴とする請求項１に記載の光学素子の挿脱装置。
【請求項３】
前記板バネ部材は、複数の平坦部及び折曲部から構成されると共に、
前記板バネ部材は、前記枠体の少なくとも１つの端部を支持し、
前記板バネ部材の片端又は両端は、前記固定部材に固定されることを特徴とする請求項１に記載の光学素子の挿脱装置。
【請求項４】
請求項１乃至請求項３のいずれか１項に記載の光学素子の挿脱装置であって、さらに、前記枠体は、少なくとも１つの突起部を端部に有し、
前記板バネ部材は、前記少なくとも１つの突起部を支持するように構成されることを特徴とする光学素子の挿脱装置。
【請求項５】
前記光学素子は、エクステンダーレンズであることを特徴とする請求項１乃至請求項４のいずれか１項に記載の光学素子の挿脱装置。
【発明の詳細な説明】
【技術分野】
【０００１】
本発明は光学素子の挿脱装置に係り、特に、放送用テレビカメラ等のレンズ装置に用いられる光学素子の挿脱装置に関する。
【背景技術】
【０００２】
放送用テレビカメラ等の分野では、像の倍率の変更を必要とする場合が多々ある。このため放送用テレビカメラ等のレンズ装置（ＥＮＧレンズ）には、必要に応じて像の倍率を変更できるように、変倍レンズ（エクステンダーレンズ）をレンズ系の撮影光路中に挿脱する挿脱装置が設けられている（例えば、特許文献１参照）。
【０００３】
特許文献１には、支持軸に回動自在となるように軸支されたエクステンダーレンズを、操作レバーの操作により、撮影光路外の退避位置から撮影光路中の使用位置へ移動させることのできる光学素子の挿脱装置が開示されている。
【０００４】
この光学素子の挿脱装置には、エクステンダーレンズを所定の位置で固定状態にするために引張バネが設けられていると共に、エクステンダーレンズを退避位置から使用位置（又は使用位置から退避位置）へ移動させる際の衝合音や振動を防止するためにダンパー機構が設けられている。
【特許文献１】特開平９−１７１１３５号公報
【発明の開示】
【発明が解決しようとする課題】
【０００５】
しかしながら、特許文献１に記載された光学素子の挿脱装置には、上述のように、引張バネやダンパー機構が設けられているため、部品点数が多くなっている。そのため光学素子の挿脱装置の組立工数は多くなり、組立作業に時間がかかるという問題がある。
【０００６】
本発明はこのような事情に鑑みてなされたもので、簡素化された構成で、光学素子の挿脱を円滑に行うことのできる光学素子の挿脱装置を提供することを目的とする。
【課題を解決するための手段】
【０００７】
前記目的を達成するために、請求項１に記載の発明は、支持軸を中心に回動する枠体に保持されると共に、撮影光路外の退避位置及び撮影光路中の使用位置で回動自在に設けられる光学素子と、前記光学素子及び前記枠体を回動させる操作を行う操作手段と、前記枠体を回動方向に付勢すると共に、前記枠体の回動位置に応じて付勢方向が反転するように構成される板バネ部材と、前記板バネ部材を固定する固定部材と、を備えた光学素子の挿脱装置を提供する。
【０００８】
本発明によれば、操作手段を操作することによって、枠体に保持される光学素子を退避位置と使用位置との間で回動させることが可能である。このとき板バネ部材は、枠体を回動方向に付勢すると共に、枠体の回動位置に応じて付勢方向が反転するように構成されるため、光学素子の退避位置と使用位置で枠体と共に光学素子を固定状態にすることができる。また板バネ部材によって枠体は付勢されるため、光学素子を退避位置と使用位置との間で回動させる際の衝合音及び振動を防止できる。
【０００９】
これにより引張バネやダンパー機構等は不要となり、板バネ部材を利用した簡素な構成で、光学素子の挿脱を円滑に行うことができる。
【００１０】
本明細書における「光学素子」とは、変倍レンズ（エクステンダーレンズ）や、縮小系レンズ（レシオコンバータ）や、波長に応じて光を遮断又は透過する光学フィルタ又は光学レンズ等を含む。
【００１１】
請求項２に記載の発明は、請求項１に記載の光学素子の挿脱装置であって、前記板バネ部材は、略Ｖ字状に湾曲して構成されると共に、前記板バネ部材の一端は、前記枠体の少なくとも１つの端部を支持し、前記板バネ部材の他端は、前記固定部材に固定されることを特徴とする。
【００１２】
請求項２の態様によれば、板バネ部材を略Ｖ字状に湾曲して構成することにより、請求項１の態様と同様に、簡素な構成で、光学素子の挿脱を円滑に行うことができる。
【００１３】
請求項３に記載の発明は、請求項１に記載の光学素子の挿脱装置であって、前記板バネ部材は、複数の平坦部及び折曲部から構成されると共に、前記板バネ部材は、前記枠体の少なくとも１つの端部を支持し、前記板バネ部材の片端又は両端は、前記固定部材に固定されることを特徴とする。
【００１４】
請求項３の態様によれば、板バネ部材を複数の平坦部及び折曲部に構成することにより、請求項１の態様と同様に、簡素な構成で、光学素子の挿脱を円滑に行うことができる。
【００１５】
請求項４に記載の発明は、請求項１乃至請求項３のいずれか１項に記載の光学素子の挿脱装置であって、さらに、前記枠体は、少なくとも１つの突起部を端部に有し、前記板バネ部材は、前記少なくとも１つの突起部を支持するように構成されることを特徴とする。
【００１６】
請求項４の態様によれば、請求項１と同様の効果を奏すると共に、板バネ部材が枠体の端部に形成された突起部を支持するようにしたので、板バネ部材による付勢方向の反転位置が明確になると共に、操作性が向上する。
【００１７】
請求項５に記載の発明は、請求項１乃至請求項４のいずれか１項に記載の光学素子の挿脱装置であって、前記光学素子は、エクステンダーレンズであることを特徴とする。
【００１８】
本発明は、エクステンダーレンズを撮影光路中に挿脱させる挿脱装置に好適である。本態様は、請求項１の態様と同様に、挿脱装置の構成が簡素化され、エクステンダーレンズの挿脱を円滑に行うことができる。
【発明の効果】
【００１９】
本発明に係る光学素子の挿脱装置によれば、板バネ部材が、枠体を回動方向に付勢すると共に、枠体の回動位置に応じて付勢方向が反転するように構成されるため、光学素子の退避位置と使用位置の位置で枠体と共に光学素子を固定状態にすることができる。また板バネ部材によって枠体は付勢されるため、光学素子を退避位置と使用位置との間で回動させる際の衝合音及び振動を防止できる。
【００２０】
これにより引張バネやダンパー機構等は不要となり、板バネ部材を利用した簡素な構成で、光学素子の挿脱を円滑に行うことができる。
【発明を実施するための最良の形態】
【００２１】
以下添付図面に従って本発明に係る光学素子の挿脱装置の好ましい実施の形態について詳説する。
【００２２】
図１は本発明の第１の実施形態に係るエクステンダー挿脱装置を備えたテレビカメラ用ズームレンズ装置（ＥＮＧレンズ）の外観平面図である。図２は、図１のテレビカメラ用ズームレンズ装置を後側（撮影者側）から見た図である。
【００２３】
図１に示すテレビカメラ用ズームレンズ装置１０は、レンズ部１２とエクステンダー部２０とから主に構成される。
【００２４】
レンズ部１２の内部構成については、図示されていないが、周知の如く、鏡胴内には、前方から順に、焦点合わせのためのフォーカスレンズ系、変倍のためのズームレンズ系が配置されている。
【００２５】
エクステンダー部２０はエクステンダー挿脱装置に相当し、レンズ部１２の後方に設けられる。エクステンダー部２０の後端面には、エクステンダー切替レバー２２が設けられている（図２参照）。
【００２６】
図３、図４は、エクステンダー部２０の内部構成を後側（撮影者側）から見た説明図である。図３は、エクステンダーレンズが撮影光路外の退避位置に存在する場合を示し、図４は、エクステンダーレンズが撮影光路中の使用位置に存在する場合を示す。
【００２７】
エクステンダー部２０はケース体２４を有し、このケース体２４内には、例えば、２倍のエクステンダー（エクステンダーレンズ）２６が配置される。尚、エクステンダー２６は１枚又は複数枚のレンズにより構成される。
【００２８】
エクステンダー２６の枠体２８には、保持用リング２８Ａが形成されている。この保持用リング２８は支軸３０に取り付けられており、エクステンダー２６は保持用リング２８Ａを介して支軸３０のまわりを回動自在となるように構成されている。
【００２９】
ストッパー３２は、ネジ螺合部２４Ａを有するケース体２４に取り付けられている。他方、エクステンダー２６の枠体２８にはストッパー３２の頭部が当接される平坦部（当接部）２８Ｂが形成されている。このストッパー３２にエクステンダー２６の枠体２８の平坦部２８Ｂが当接することによって、図３に示すように、エクステンダー２６が所定の退避位置に位置決めされる。
【００３０】
同様にストッパー３４は、ネジ螺合部２４Ｂを有するケース体２４に取り付けられている。他方、エクステンダー２６の枠体２８に平坦部（当接部）２８Ｃが形成されている。このストッパー３４にエクステンダー２６の枠体２８の平坦部２８Ｃが当接することによって、図４に示すように、エクステンダー２６が所定の使用位置に位置決めされる。
【００３１】
尚、ストッパー３２、３４のねじ込み量を調整することによって、エクステンダー２６の退避位置又は使用位置を調節できる。また後述する板バネ部材の付勢力によって、エクステンダー２６が退避位置又は使用位置で固定された状態となる。
【００３２】
枠体２８の保持用リング２８Ａには、ギヤ３６が一体的に形成されている。エクステンダー切替レバー２２の軸３８はケース体２４に回動自在に支持されており、軸３８の端部には不図示のギヤが一体的に固設されている。そして、このギヤは保持用リング２８Ａのギヤ３６に噛合されている。
【００３３】
かかる構成により、エクステンダー切替レバー２２を回動操作することにより、ギヤ３６を介してエクステンダー２６を支軸３０の回りに回動させることができる。
【００３４】
本実施形態では、エクステンダー２６を所定の位置で固定状態にすると共に、エクステンダー２６が退避位置と使用位置との間で回動する際の衝合音及び振動を防止するために、板バネ部材４０が設けられている。
【００３５】
板バネ部材４０は、一定の幅を有する金属製板状体を湾曲形成したものであり、枠体２８の保持用リング２８Ａの端部を支持するための支持部４０Ａと、断面略円弧状を有する折曲部４０Ｂと、板バネ部材４０をケース体２４に固定するための固定部４０Ｃと、を一体的に備えている。
【００３６】
固定部４０Ｃには不図示の孔部が形成されている。またケース体２４にはネジ螺合部２４Ｃが形成されている。固定部４０Ｃの孔部とネジ螺合部２４Ｃの位置を合わせ、そこにネジ４２をねじ込むことにより、板バネ部材４０がケース体２４に固定される。
【００３７】
板バネ部材４０は、図３に示すようにエクステンダー２６が退避位置にある場合には、エクステンダー２６の枠体２８に図３中反時計回り方向に付勢力が加わるように構成され、図４に示すようにエクステンダー２６が使用位置にある場合には、エクステンダー２６の枠体２８に図４中時計回り方向に付勢力が加わるように構成される。
【００３８】
かかる構成によって、エクステンダー２６の枠体２８は周方向に付勢されるが、エクステンダー２６の回動位置によって、その付勢方向が変わるようになっている。
【００３９】
また本実施形態では、枠体２８の保持用リング２８Ａの端部に突起部４４が一体的に形成されており、板バネ部材４０の支持部４０Ａは突起部４４を支持するように構成される。突起部４４はエクステンダー２６の回動と共に回動するので、エクステンダー２６が退避位置から使用位置（又は使用位置から退避位置）に移動する場合には、板バネ部材４０の支持部４０Ａは、突起部４４に押圧されて、図３又は図４中破線で示すように、固定部４０Ｃの方向に一度近接してから元の実線で示す状態に戻る。
【００４０】
次に、上記の如く構成されたエクステンダー挿脱装置を備えたテレビカメラ用ズームレンズ装置の作用を説明する。図３に示すように、エクステンダー２６が退避位置に存在するとき、エクステンダー２６の保持用リング２８Ａは板バネ部材４０によって図３中反時計回り方向に付勢されている。従って、保持用リング２８Ａと一体のエクステンダー２６の枠体２８には反時計回り方向の力が付与される。こうして、エクステンダー２６の枠体２８の平坦部２８Ｂはストッパー３２に当接されて退避位置に固定された状態となる。
【００４１】
この状態から、エクステンダー切替レバー２２を図３中反時計回り方向に操作すると、エクステンダー切替レバー２２の軸３８に固設された不図示のギヤが反時計回り方向に回動する。この操作によって、軸３８に固設されたギヤと噛合する保持用リング２８Ａと一体的に形成されるギヤ３６は時計回り方向に回動する。そして、保持用リング２８Ａを有する枠体２８は支軸３０を中心に時計回転方向に回動する。なおエクステンダー２６を使用位置から退避位置に切替える場合には、エクステンダー切替レバー２２を時計回り方向に操作すればよい。
【００４２】
エクステンダー２６の退避位置と使用位置の略中間位置を越える位置までエクステンダ切替レバー２２を操作すると、板バネ部材４０による保持用リング３６の付勢方向は反時計回り方向から時計回り方向に変化し、エクステンダー２６の枠体２８には時計回り方向に力が付与される。こうして、エクステンダー２６の枠体２８の平坦部２８Ｃはストッパー３４に当接されて使用位置に固定された状態となる。
【００４３】
このとき枠体２８の端部に形成される突起部４４も回動するので、エクステンダー２６が略中間位置を越えるまでは、板バネ部材４０の支持部４０Ａは、突起部４４に押圧されて、図３中破線で示すように固定部４０Ｃの方向に近接する。一方、エクステンダー２６が略中間位置を越えると、板バネ部材４０の支持部４０Ａは、図４中実線で示すように元の位置に戻る。
【００４４】
このようにエクステンダー２６が略中間位置を越えるためには、突起部４４が支持部４０Ａを押圧して回動できる程度の力をエクステンダー切替レバー２２に余計に加えなければならない。一方、エクステンダー２６が略中間位置を越えると、板バネ部材４０の付勢方向がエクステンダー２６の回動方向と一致するので、エクステンダー切替レバー２２の操作は楽になる。従って、付勢方向の反転位置がより明確になると共に、エクステンダー切替レバー２２の操作性が向上する。
【００４５】
また突起部４４を有する枠体２８が板バネ部材４０によって付勢されているため、エクステンダー切替レバー２２の操作によってエクステンダー２６を切替える場合の衝合音及び振動を防止することができる。
【００４６】
このように本実施形態では、板バネ部材４０を設けた簡素な構成で、エクステンダー２６の挿脱を円滑に行うことができる。
【００４７】
次に、本発明の第２の実施形態に係るエクステンダー挿脱装置について説明する。図５、図６は、本発明の第２の実施形態に係るエクステンダー部の内部構成を示す説明図である。図５は、エクステンダーレンズが撮影光路外の退避位置に存在する場合を示し、図６は、エクステンダーレンズが撮影光路中の使用位置に存在する場合を示す。図５及び図６中、図３及び図４と同一又は類似の部材には同一の符号を付し、その説明を省略する。
【００４８】
本実施形態は、エクステンダー２６を所定の位置で固定状態にすると共に、エクステンダー２６を退避位置から使用位置（又は使用位置から退避位置）へ移動させる際の衝合音及び振動を防止するために板バネ部材５０が設けられる点では第１の実施形態と共通するが、板バネ部材５０の両端部がケース体２４に固定され、板バネ部材５０がエクステンダー２６の枠体２８を支持する点で相違する。
【００４９】
板バネ部材５０は、金属製板状体を湾曲形成することによって、エクステンダー２６の枠体２８の端部を支持する支持部５０Ａと、ケース体２４に取付けて固定される固定部５０Ｂと、を一体的に備えている。
【００５０】
固定部５０Ｂは板バネ部材５０の両端部に位置し、不図示の孔部が形成されている。この孔部とケース体２４に形成されるネジ螺合部２４Ｄ、２４Ｄの位置を合わせ、そこにネジ５２、５２をねじ込むことにより、板バネ部材５０がケース体２４に固定される。
【００５１】
支持部５０Ａは、複数の平坦部及び折曲部を有し、エクステンダー２６が退避位置に存在する場合には、エクステンダー２６の枠体２８には図５中反時計回り方向に付勢力が加わり、エクステンダー２６が使用位置に存在する場合には、エクステンダー２６の枠体２８には図６中時計回り方向に付勢力が加わるように構成されている。また板バネ部材５０は、エクステンダー２６の退避位置と使用位置の略中間位置を境にして枠体２８の付勢方向が変わるように構成されている。
【００５２】
かかる構成により、本実施形態は、第１の実施形態と同様に、板バネ部材５０によって、エクステンダー２６の枠体２８は周方向に付勢されるが、エクステンダー切替レバー２２の回動位置によって、その付勢方向が変わるようになっている。すなわち、図５に示すようにエクステンダー２６が退避位置に存在する場合は、エクステンダー２６の枠体２８は図５中反時計回り方向に付勢力が加わる。一方、エクステンダー切替レバー２２をエクステンダー２６の中間位置を越える位置まで回動し、図６に示すようにエクステンダー２６が使用位置に存在する場合は、エクステンダー２６の枠体２８は図６中時計回り方向に付勢力が加わる。
【００５３】
従って、エクステンダー２６が退避位置に存在する場合は、板バネ部材５０の付勢力によって、エクステンダー２６の枠体２８の平坦部２８Ｂがストッパー３２に当接され、退避位置に固定された状態となる。一方、エクステンダー２６が使用位置に存在する場合は、板バネ部材５０の付勢力によって、エクステンダー２６の枠体２８の平坦部２８Ｃがストッパー３４に当接され、使用位置に固定された状態となる。
【００５４】
またエクステンダー２６を退避位置から使用位置（又は使用位置から退避位置）に移動させる際には、枠体２８は板バネ部材５０によって付勢された状態となっている。そのため衝合音及び振動が防止された状態で、エクステンダー２６の挿脱を円滑に行うことができる。
【００５５】
次に、本発明の第３の実施形態に係るエクステンダー挿脱装置について説明する。図７、図８は、本発明の第３の実施形態に係るエクステンダー部の内部構成を示す説明図である。図７は、エクステンダーレンズが撮影光路外の退避位置に存在する場合を示し、図８は、エクステンダーレンズが撮影光路中の使用位置に存在する場合を示す。図７及び図８中、図３及び図４と同一又は類似の部材には同一の符号を付し、その説明を省略する。
【００５６】
本実施形態は、エクステンダー２６を所定の位置で固定状態にすると共に、エクステンダー２６を退避位置から使用位置（又は使用位置から退避位置）へ移動させる際の衝合音及び振動を防止するために板バネ部材６０が設けられる点では第１及び第２の実施形態と共通するが、板バネ部材６０の一端部がケース体２４に固定され、板バネ部材５０がエクステンダー２６の枠体２８の一端又は二端を支持する点で相違する。
【００５７】
板バネ部材６０は、金属製板状体を湾曲形成することによって、エクステンダー２６の枠体２８の端部を支持する６０Ａと、ケース体２４に取付けて固定する固定部６０Ｂと、を一体的に備えている。
【００５８】
固定部６０Ｂは板バネ部材６０の一端部に位置し、不図示の孔部が形成されている。この孔部とケース体２４に形成されネジ螺合部２４Ｅの位置を合わせ、そこにネジ６２をねじ込むことにより、板バネ部材６０がケース体２４に固定される。
【００５９】
支持部６０Ａは、複数の平坦部及び折曲部を有し、以下のように構成される。すなわちエクステンダー２６が退避位置に存在する場合には、エクステンダー２６の枠体２８の一端を支持すると共に、枠体２８に図５中反時計回り方向の付勢力が加わるように構成され、エクステンダー２６が使用位置に存在する場合には、エクステンダー２６の枠体２８の二端を支持すると共に、図６中時計回り方向に付勢力が加わるように構成される。また板バネ部材６０は、エクステンダー２６の退避位置と使用位置の略中間位置を境にして枠体２８の付勢方向が変わるように構成される。
【００６０】
かかる構成により、本実施形態も、第１及び第２の実施形態と同様に、板バネ部材６０によって、エクステンダー２６の枠体２８は周方向に付勢され、枠体２８の回動位置によって、その付勢方向が変わるようになっている。すなわち、図７に示すようにエクステンダー２６が退避位置に存在する場合は、エクステンダー２６の枠体２８は図７中反時計回り方向に付勢力が加わる。一方、エクステンダー切替レバー２２をエクステンダー２６の中間位置を越える位置まで回動し、図８に示すようにエクステンダー２６が使用位置に存在する場合は、エクステンダー２６の枠体２８は図８中時計回り方向に付勢力が加わる。
【００６１】
従って、エクステンダー２６が退避位置に存在する場合は、板バネ部材６０の付勢力によって、エクステンダー２６の枠体２８の平坦部２８Ｂがストッパー３２に当接され、退避位置に固定された状態となる。一方、エクステンダー２６が使用位置に存在する場合は、板バネ部材６０の付勢力によって、エクステンダー２６の枠体２８の平坦部２８Ｃがストッパー３４に当接され、使用位置に固定された状態となる。
【００６２】
またエクステンダー２６を退避位置から使用位置（又は使用位置から退避位置）に移動させる際には、枠体２８は板バネ部材６０に付勢された状態となっている。そのため衝合音及び振動が防止された状態で、エクステンダー２６の挿脱を円滑に行うことができる。
【００６３】
上記実施の形態では、本発明をテレビカメラ用ズームレンズ装置に適用した場合を例に説明したが、本発明は各種の撮影光学系に広く適用することが可能である。
【００６４】
以上、本発明のについて詳細に説明したが、本発明は、以上の例には限定されず、本発明の要旨を逸脱しない範囲において、各種の改良や変形を行ってよいのはもちろんである。
【図面の簡単な説明】
【００６５】
【図１】本発明に係る第１の実施形態のエクステンダー挿脱装置を備えたテレビカメラ用ズームレンズ装置の外観平面図である。
【図２】図１のテレビカメラ用ズームレンズ装置を後側（撮影者側）から見た図である。
【図３】図１のテレビカメラ用ズームレンズ装置のエクステンダー部の内部構成を後側（撮影者側）から見た図で、エクステンダーレンズが退避位置に存在する場合の説明図である。
【図４】図１のテレビカメラ用ズームレンズ装置のエクステンダー部の内部構成を後側（撮影者側）から見た図で、エクステンダーレンズが使用位置に存在する場合の説明図である。
【図５】本発明に係る第２の実施形態のエクステンダー挿脱装置の内部構成を示した図で、エクステンダーレンズが退避位置に存在する場合の説明図である。
【図６】本発明に係る第２の実施形態のエクステンダー挿脱装置の内部構成を示した図で、エクステンダーレンズが使用位置に存在する場合の説明図である。
【図７】本発明に係る第３の実施形態のエクステンダー挿脱装置の内部構成を示した図で、エクステンダーレンズが退避位置に存在する場合の説明図である。
【図８】本発明に係る第３の実施形態のエクステンダー挿脱装置の内部構成を示した図で、エクステンダーレンズが使用位置に存在する場合の説明図である。
【符号の説明】
【００６６】
１０…テレビカメラ用ズームレンズ装置、１２…レンズ部、２０…エクステンダー部、２２…エクステンダー切替レバー、２４…ケース体、２６…エクステンダー、４０…板バネ部材、５０…板バネ部材、６０…板バネ部材
【図１】
2005352395.tif 000003
【図２】
2005352395.tif 000004
【図３】
2005352395.tif 000005
【図４】
2005352395.tif 000006
【図５】
2005352395.tif 000007
【図６】
2005352395.tif 000008
【図７】
2005352395.tif 000009
【図８】
2005352395.tif 000010